(57)【要約】【課題】  適正な白基準データを取得することができると共に、装置の大型化を回避できる画像読取装置を提供する。【解決手段】  密着型イメージセンサにて構成される画像読取装置において、  前記密着型イメージセンサのガラス部を形成する液晶調光ガラスと、白基準データ取得時には前記液晶調光ガラスを白色にし、原稿読取りデータ取得時には前記液晶調光ガラスを透明にするように、前記液晶調光ガラスに電圧を印加する印加手段とを備えた。【選択図】  図３
2006339714.tif 000002
【特許請求の範囲】
【請求項１】
密着型イメージセンサにて構成される画像読取装置において、
前記密着型イメージセンサのガラス部を形成する液晶調光ガラスと、
白基準データ取得時には前記液晶調光ガラスを白色にし、原稿読取りデータ取得時には前記液晶調光ガラスを透明にするように、前記液晶調光ガラスに電圧を印加する印加手段と、
を備えたことを特徴とする画像読取装置。
【発明の詳細な説明】
【技術分野】
【０００１】
本発明は、画像読取装置に関し、特に、密着型イメージセンサにて構成される画像読取装置に関する。
【背景技術】
【０００２】
原稿を一回の搬送で表裏両面を読取る画像読取装置は、搬送される原稿の裏面側に対応させるように、密着型イメージセンサ（ＣＩＳ：Contact Image Sensor）を配設したものである。
【０００３】
このような画像読取装置では、密着型イメージセンサの画素感度ばらつきや、光源、光学系の特性による明暗のばらつきを補正するために、白基準ローラ等を読取って得た白基準データをもとにシェーディング補正が行われている。
【０００４】
例えば、白基準ローラにゴミが無く、適正な白基準データが読み取れる場合は、正常にシェーディング補正が行えるが、白基準ローラにゴミが付着している場合には、密着型イメージセンサの画素の信号レベルがごみの影響で落ち込む。
【０００５】
この落ち込んだ信号レベルを白基準データとしてシェーディング補正を行うと、画素部分が縦筋となって画像劣化する。
【０００６】
このように、白基準ローラにゴミが付着している場合などは、そのゴミの影響を受ける密着型イメージセンサの信号レベルは常に落ち込んだ状態となり、回避困難な画像劣化の原因となる。
【０００７】
そこで、従来より、密着型イメージセンサと白基準ローラとが離間するような構成とし、密着型イメージセンサの原稿と当接する表面を露出可能にして、その表面の清掃やメンテナンスが容易にできるようにした画像読取装置が提案されている（特許文献１参照）。
【特許文献１】特開２００４−４８１８４号公報
【発明の開示】
【発明が解決しようとする課題】
【０００８】
しかしながら、上述した従来の画像読取装置では、クリーニング機構を設ける必要があり、複雑化に伴う装置の大型化を招いていた。また、白基準ローラの位置精度が不良となり易いため、適正な白基準データを取得することが困難であった。
【０００９】
そこで、本発明は、上記問題に鑑み、適正な白基準データを取得することができると共に、装置の大型化を回避できる画像読取装置を提供することを目的とする。
【課題を解決するための手段】
【００１０】
本発明は、密着型イメージセンサにて構成される画像読取装置を前提としている。本発明は、前記密着型イメージセンサのガラス部を形成する液晶調光ガラスと、白基準データ取得時には前記液晶調光ガラスを白色にし、原稿読取りデータ取得時には前記液晶調光ガラスを透明にするように、前記液晶調光ガラスに電圧を印加する印加手段とを備えた構成としている。
【００１１】
このようにすれば、白基準データ取得時に密着型イメージセンサの原稿と当接する表面の汚れの影響を受けることがないと共に、白基準色面の位置精度を確保できるため、適正な白基準データを取得することができる。更に、クリーニング機構を別途設ける必要もないため、装置の大型化を回避できる。
【発明の効果】
【００１２】
白基準データ取得時に密着型イメージセンサの原稿と当接する表面の汚れの影響を受けることがないと共に、白基準色面の位置精度を確保できるため、適正な白基準データを取得することができる。更に、クリーニング機構を別途設ける必要もないため、装置の大型化を回避できる。
【発明を実施するための最良の形態】
【００１３】
以下、本発明の実施の形態を図面にしたがって詳細に説明する。
【００１４】
図１は、本発明の実施の形態における密着型イメージセンサ１００にて構成される画像読取装置を示す概略図であり、図２は、本発明の実施の形態における密着型イメージセンサ１００にて構成される画像読取装置の動作を示すフロー図である。
【００１５】
原稿トレイ１０１に載置された原稿は、原稿送り機構により１枚ずつ搬送され、１回の搬送で原稿の表裏両面が読取られる。
【００１６】
搬送される原稿の表面は、ＣＣＤセンサ１０２によって読取られる。すなわち、ランプ１０３で原稿の表面を照射し、その反射光がミラー１０４、１０５、１０６によってＣＣＤセンサ１０２に導かれ、受光した光をＣＣＤセンサ１０２で撮像することで読取る構成としている。
【００１７】
一方、搬送される原稿の裏面は、密着型イメージセンサ１００によって読取られる。図３に示すように、密着型イメージセンサ１００の筐体３０１は、直方体の形状をなして機枠に固定されており、筐体３０１内部にはランプ３０２、セルフォックスレンズ３０３、センサ３０４を備えている。
【００１８】
筐体３０１のガラス部は、液晶調光ガラス３００にて形成し、ランプ３０２で原稿の裏面を照射し、その反射光をセルフォックスレンズ３０３で結像して、結像した反射光をセンサ３０４で撮像することで読取る構成としている。
【００１９】
液晶調光ガラス３００は、その内面に透明電極を形成した一対の上ガラス基板と下ガラス基板を平行に配置して形成し、その間には封止部材で液晶物質を封止している。そして、透明電極から封止部材の外部にまで、引き出しパターンが形成され、印加手段３１０にて透明電極に電圧が印加される構成になっている。
【００２０】
この液晶物質は、電圧の印加オフ状態で透明で、電圧の印加状態で白濁して不透明となる液晶物質、或いは、電圧の印加オフ状態で白濁して不透明で、電圧の印加状態で透明となる物質を使用している。
【００２１】
前者の液晶物質は、電圧の印加オフ状態のときは透明であり、光の透過率はほぼ１００％に近い状態を示す。そして、印加電圧を大きくしていくに従って、白濁し始めて透明性が徐々になくなり、所定の電圧の印加状態で完全に白濁して、光の透過率が最小になる。また、完全に白濁した状態では、光の反射率は最大になると共に、光の拡散効率も最大となる。
【００２２】
後者の液晶物質は、電圧の印加オフ状態のときは白濁状態を示し、このときの光の透過率は最小を示すと共に、光の反射率は最大を示す。印加電圧を大きくしていくに従って、白濁が薄れていき、所定の電圧の印加状態で透明になり、光の透過率はほぼ１００％に近い状態になる。
【００２３】
本実施の形態においては、前者の液晶物質、すなわち、電圧の印加オフ状態で透明状態となり、所定の電圧の印加状態で白濁状態になる液晶物質を用いた。このような液晶物質としては、例えば、ＤＳＭ（ダイナミックスキャッタリングモード液晶）がある。
【００２４】
なお、後者の液晶物質、すなわち、電圧の印加オフ状態で白濁状態となり、所定の電圧の印加状態で、透明になる液晶物質として、例えば、ＰＮＬＣＤ（ポリマーネットワーク液晶）を使用してもよいのは勿論である。
【００２５】
以下では、本実施の形態における密着型イメージセンサ１００にて構成される画像読取装置の原稿の裏面を読取る動作について説明する。
【００２６】
ユーザが原稿トレイ１０１に原稿を載置すると、原稿センサ１１０が原稿有りと検知し、原稿有りの旨を制御手段３２０に通知する。その通知を受けると、制御手段３２０は、印加手段３１０に印加オンの指示を通知する。
【００２７】
印加オンの指示の通知を受けると、印加手段３１０は、液晶調光ガラス３００に所定の電圧を印加し（Ｓ２０１）、液晶調光ガラス３００を完全に白濁させる。また、印加オンの指示と同時に、制御手段３２０は、ランプ３０２を点灯させる（Ｓ２０２）。
【００２８】
密着型イメージセンサ１００は、白濁した液晶調光ガラス３００をランプ３０２で照射し、セルフォックスレンズ３０３で結像して、結像した反射光をセンサ３０４で読取り、白基準データを取得する（Ｓ２０３）。取得した白基準データは、シェーディング手段３３０に保持される。
【００２９】
密着型イメージセンサ１００がセンサ３０４にて白基準データを取得すると、シェーディング手段３３０は、取得した旨を制御手段３２０に通知する。取得した旨の通知を受けると、制御手段３２０は、印加手段３１０に印加オフの指示を通知する。
【００３０】
印加オフの指示の通知を受けると、印加手段３１０は、液晶調光ガラス３００への電圧の印加をオフし（Ｓ２０４）、液晶調光ガラス３００を完全に透明にする。また、印加オフの指示と同時に、制御手段３２０は、原稿送り手段３４０を作動させる。
【００３１】
密着型イメージセンサ１００は、原稿送り手段３４０が１枚ずつ連続して搬送する原稿の裏面をランプ３０２で照射し、セルフォックスレンズ３０３で結像して、結像した反射光をセンサ３０４で読取り、１ページ分ずつ原稿読取りデータを取得する（Ｓ２０５）。取得した原稿読取りデータは、１ページ分ずつシェーディング手段３３０に転送される。
【００３２】
密着型イメージセンサ１００がセンサ３０４にて１ページ分の原稿読取りデータを取得する度に、シェーディング手段３３０は、取得した旨を制御手段３２０に通知する。取得した旨の通知を受けると、制御手段３２０は、シェーディング手段３３０にシェーディング補正の実行指示を通知する。
【００３３】
シェーディング補正の実行指示が通知されると、シェーディング手段３３０は、先に取得した白基準データに基づいて、原稿読取りデータについて、１ページ分ずつシェーディング補正を実行する。
【００３４】
全ての原稿の搬送を終え、原稿センサ１１０が原稿無しと検知すると（Ｓ２０６）、原稿無しの旨を制御手段３２０に通知する。その通知を受けると、制御手段３２０は、所定時間経過後に原稿送り手段３４０の作動を停止させると共に、ランプ３０２を消灯させる（Ｓ２０７）。
【００３５】
このようにすれば、白基準データ取得時に密着型イメージセンサの原稿と当接する表面の汚れの影響を受けることがないと共に、白基準色面の位置精度を確保できるため、適正な白基準データを取得することができる。更に、クリーニング機構を別途設ける必要もないため、装置の大型化を回避できる。
【００３６】
なお、密着型イメージセンサ１００のガラス部を液晶調光ガラス３００にて形成したことで、密着型イメージセンサ１００の直下に配設される背景ローラ１０７を白色にする必要がないため、背景ローラ１０７を黒色とすれば、原稿読取りデータ取得時における裏写りの防止も可能である。
【００３７】
上記実施の形態で説明した構成は、単に具体例を示すものであり、本願発明の技術的範囲を制限するものではない。本願の効果を奏する範囲において、任意の構成を採用することが可能である。
【産業上の利用可能性】
【００３８】
適正な白基準データを取得することができると共に、装置の大型化を回避できるため、密着型イメージセンサにて構成される画像読取装置として有用である。
【図面の簡単な説明】
【００３９】
【図１】本発明の実施の形態における密着型イメージセンサにて構成される画像読取装置を示す概略図である。
【図２】本発明の実施の形態における密着型イメージセンサにて構成される画像読取装置の原稿の裏面を読取る動作を示すフロー図である。
【図３】本発明の実施の形態における密着型イメージセンサにて構成される画像読取装置を示す概略断面図である。
【符号の説明】
【００４０】
１００  密着型イメージセンサ
１０１  原稿トレイ
１０２  ＣＣＤセンサ
１０３  ランプ
１０４  ミラー
１０５  ミラー
１０６  ミラー
１０７  背景ローラ
１１０  原稿センサ
３００  液晶調光ガラス
３０１  筐体
３０２  ランプ
３０３  セルフォックスレンズ
３０４  センサ
３１０  印加手段
３２０  制御手段
３３０  シェーディング手段
３４０  原稿送り手段
【図１】
2006339714.tif 000003
【図２】
2006339714.tif 000004
【図３】
2006339714.tif 000005